(57)【要約】【課題】  製造を容易化することができる電子機器、遠隔操作用プログラム、遠隔操作システムおよび遠隔操作方法を提供する。【解決手段】  ＭＦＰは、オプション機器を操作するためのオプション機器操作用画面が、オプション機器のタイプ毎の固定のオプション機器操作用画面のパターンと、ＭＦＰに実際に接続されているオプション機器用のオプション機器操作用画面のパターンとを含む複数のパターンの中から指定されるパターン指定手段と、パターン指定手段によって指定されたオプション機器操作用画面をＳ１４９において送信する画面送信手段とを備えることを特徴とする。【選択図】  図９
2019130716.tif 000002
【特許請求の範囲】
【請求項１】
オプション機器を操作するためのオプション機器操作用画面が複数のパターンの中から指定されるパターン指定手段と、
前記パターン指定手段によって指定された前記オプション機器操作用画面を送信する画面送信手段と
を備えることを特徴とする電子機器。
【請求項２】
前記複数のパターンには、固定の前記オプション機器操作用画面のパターンが含まれることを特徴とする請求項１に記載の電子機器。
【請求項３】
前記複数のパターンには、前記電子機器に実際に接続されている前記オプション機器用の前記オプション機器操作用画面のパターンが含まれることを特徴とする請求項１または請求項２に記載の電子機器。
【請求項４】
オプション機器を操作するためのオプション機器操作用画面が複数のパターンの中から指定されるパターン指定手段と、
前記パターン指定手段によって指定された前記オプション機器操作用画面を送信する画面送信手段と
を電子機器に実現させることを特徴とする遠隔操作用プログラム。
【請求項５】
オプション機器が接続される電子機器と、
前記電子機器を操作するコンピューターと
を備え、
前記電子機器は、
前記オプション機器を操作するためのオプション機器操作用画面が複数のパターンの中から指定されるパターン指定手段と、
前記パターン指定手段によって指定された前記オプション機器操作用画面を前記コンピューターに送信する画面送信手段と
を備えることを特徴とする遠隔操作システム。
【請求項６】
オプション機器が接続される電子機器の前記オプション機器を操作するためのオプション機器操作用画面が複数のパターンの中から指定されるパターン指定ステップと、
前記パターン指定ステップによって指定された前記オプション機器操作用画面を送信する画面送信ステップと
を備えることを特徴とする遠隔操作方法。
【発明の詳細な説明】
【技術分野】
【０００１】
本発明は、遠隔地から操作されることが可能な電子機器、遠隔操作用プログラム、遠隔操作システムおよび遠隔操作方法に関する。
【背景技術】
【０００２】
従来、遠隔地から操作されることが可能な電子機器として、遠隔地のコンピューターから電子機器を操作するための操作用画面をコンピューター側で生成するための画面表示操作情報をコンピューターに送信するものが知られている（例えば、特許文献１参照。）。特許文献１に記載されたコンピューターは、電子機器を操作するための操作用画面を、コンピューターの操作部の入力形式に対応するように、電子機器から送信されてきた画面表示操作情報に基づいて生成する。
【先行技術文献】
【特許文献】
【０００３】
【特許文献１】国際公開第２０１１／１６１９６６号
【発明の概要】
【発明が解決しようとする課題】
【０００４】
しかしながら、特許文献１に記載された電子機器においては、遠隔地の任意のコンピューターの操作部の入力形式に対応する操作用画像を遠隔地のコンピューター側で生成可能な画面表示操作情報が用意される必要があるので、製造者の負担が大きいという問題がある。
【０００５】
そこで、本発明は、製造を容易化することができる電子機器、遠隔操作用プログラム、遠隔操作システムおよび遠隔操作方法を提供することを目的とする。
【課題を解決するための手段】
【０００６】
本発明の電子機器は、オプション機器を操作するためのオプション機器操作用画面が複数のパターンの中から指定されるパターン指定手段と、前記パターン指定手段によって指定された前記オプション機器操作用画面を送信する画面送信手段とを備えることを特徴とする。
【０００７】
この構成により、本発明の電子機器は、複数種類のオプション機器操作用画面のためのデータが用意されれば良く、遠隔地の任意のコンピューターの操作部の入力形式に対応するオプション機器操作用画面を遠隔地のコンピューター側で生成可能なデータが用意される必要がないので、製造を容易化することができる。
【０００８】
本発明の電子機器において、前記複数のパターンには、固定の前記オプション機器操作用画面のパターンが含まれても良い。
【０００９】
この構成により、本発明の電子機器は、実際に接続されているオプション機器に関係なく、固定のオプション機器操作用画面を遠隔地のコンピューターに送信することができるので、遠隔地のコンピューターの利用者が扱い易いオプション機器操作用画面を遠隔地のコンピューターに表示させることができる。
【００１０】
本発明の電子機器において、前記複数のパターンには、前記電子機器に実際に接続されている前記オプション機器用の前記オプション機器操作用画面のパターンが含まれても良い。
【００１１】
この構成により、本発明の電子機器は、実際に接続されているオプション機器用のオプション機器操作用画面を遠隔地のコンピューターに送信することができるので、遠隔地のコンピューターの利用者が電子機器の利用者にオプション機器の操作に関して説明する場合に、遠隔地のコンピューターの利用者と、電子機器の利用者との間にオプション機器に関する認識の違いが発生することを抑えることができる。
【００１２】
本発明の遠隔操作用プログラムは、オプション機器を操作するためのオプション機器操作用画面が複数のパターンの中から指定されるパターン指定手段と、前記パターン指定手段によって指定された前記オプション機器操作用画面を送信する画面送信手段とを電子機器に実現させることを特徴とする。
【００１３】
この構成により、本発明の遠隔操作用プログラムを実行する電子機器は、複数種類のオプション機器操作用画面のためのデータが用意されれば良く、遠隔地の任意のコンピューターの操作部の入力形式に対応するオプション機器操作用画面を遠隔地のコンピューター側で生成可能なデータが用意される必要がないので、製造を容易化することができる。
【００１４】
本発明の遠隔操作システムは、オプション機器が接続される電子機器と、前記電子機器を操作するコンピューターとを備え、前記電子機器は、前記オプション機器を操作するためのオプション機器操作用画面が複数のパターンの中から指定されるパターン指定手段と、前記パターン指定手段によって指定された前記オプション機器操作用画面を前記コンピューターに送信する画面送信手段とを備えることを特徴とする。
【００１５】
この構成により、本発明の遠隔操作システムは、複数種類のオプション機器操作用画面のためのデータが用意されれば良く、任意のコンピューターの操作部の入力形式に対応するオプション機器操作用画面をコンピューター側で生成可能なデータが用意される必要がないので、製造を容易化することができる。
【００１６】
本発明の遠隔操作方法は、オプション機器が接続される電子機器の前記オプション機器を操作するためのオプション機器操作用画面が複数のパターンの中から指定されるパターン指定ステップと、前記パターン指定ステップによって指定された前記オプション機器操作用画面を送信する画面送信ステップとを備えることを特徴とする。
【００１７】
この構成により、本発明の遠隔操作方法は、複数種類のオプション機器操作用画面のためのデータが用意されれば良く、任意のコンピューターの操作部の入力形式に対応するオプション機器操作用画面をコンピューター側で生成可能なデータが用意される必要がないので、データの製造を容易化することができる。
【発明の効果】
【００１８】
本発明の電子機器、遠隔操作用プログラム、遠隔操作システムおよび遠隔操作方法は、製造を容易化することができる。
【図面の簡単な説明】
【００１９】
【図１】本発明の一実施の形態に係る遠隔操作システムのブロック図である。
【図２】図１に示すＭＦＰのブロック図である。
【図３】図２に示すオプション機器接続状態情報の一例を示す図である。
【図４】図２に示すオプション機器操作用画面表示設定情報の一例を示す図である。
【図５】図１に示すコンピューターのブロック図である。
【図６】図５に示すブラウザーによって表示される機器操作用画面の一例を示す図である。
【図７】オプション機器接続状態情報を更新する場合の図２に示すＭＦＰの動作のフローチャートである。
【図８】オプション機器操作用画面表示設定情報を更新する場合の図２に示すＭＦＰの動作のフローチャートである。
【図９】ＭＦＰの遠隔操作の開始がコンピューターの操作部から指示された場合の図１に示す遠隔操作システムの動作のシーケンス図である。
【図１０】図９に示すオプション機器操作用画面生成処理のフローチャートである。
【図１１】コンピューターの表示部に表示されている機器操作用画面が更新される場合の図１に示す遠隔操作システムの動作のシーケンス図である。
【図１２】コンピューターの表示部に表示されている機器操作用画面が操作される場合の図１に示す遠隔操作システムの動作のシーケンス図である。
【発明を実施するための形態】
【００２０】
以下、本発明の実施の形態について、図面を用いて説明する。
【００２１】
まず、本発明の一実施の形態に係る遠隔操作システムの構成について説明する。
【００２２】
図１は、本実施の形態に係る遠隔操作システム１０のブロック図である。
【００２３】
図１に示すように、遠隔操作システム１０は、電子機器としてのＭＦＰ（Ｍｕｌｔｉｆｕｎｃｔｉｏｎ  Ｐｅｒｉｐｈｅｒａｌ）２０と、ＭＦＰ２０を操作するコンピューター４０とを備えている。ＭＦＰ２０と、コンピューター４０とは、ＬＡＮ（Ｌｏｃａｌ  Ａｒｅａ  Ｎｅｔｗｏｒｋ）、インターネットなどのネットワーク１１経由で通信可能である。
【００２４】
遠隔操作システム１０は、ＭＦＰ２０と同様のＭＦＰを、ＭＦＰ２０以外に少なくとも１つ備えることが可能である。
【００２５】
同様に、遠隔操作システム１０は、コンピューター４０と同様のコンピューターを、コンピューター４０以外に少なくとも１つ備えることが可能である。
【００２６】
なお、コンピューター４０を利用したＭＦＰ２０に対するサービスとしては、例えば、ＭＦＰ２０に対する説明を遠隔地から行うリモートガイダンスと、ＭＦＰ２０に対して遠隔地からメンテナンスを実行するリモートメンテナンスとが存在する。
【００２７】
リモートガイダンスは、コールセンター、ヘルプデスクなど、ＭＦＰ２０に対する説明を行う者（以下「説明者」という。）が、ＭＦＰ２０の利用者に対して、ＭＦＰ２０に対する説明を電話によって遠隔地から行うサービスである。リモートガイダンスにおいては、説明者が利用するコンピューター４０の表示部に、ＭＦＰ２０の操作部と、ＭＦＰ２０の表示部の表示状態とを表示することによって、ＭＦＰ２０の操作部と、ＭＦＰ２０の表示部の表示状態と、ＭＦＰ２０の利用者によるＭＦＰ２０の操作とを説明者が確認することが可能であり、説明者による、ＭＦＰ２０の利用者へのＭＦＰ２０に対する説明が明確になる。
【００２８】
リモートメンテナンスは、コンピューター４０の操作部を介してＭＦＰ２０を操作することによって、ＭＦＰ２０に対する調整や保守作業を遠隔地のコンピューター４０から実行することができるサービスである。リモートメンテナンスは、コンピューター４０の利用者がＭＦＰ２０の設置場所を訪問する必要がないので、ＭＦＰ２０が直接触られることによってＭＦＰ２０に対する調整や保守作業が実行される場合と比較して、サービスに対して必要なコストを低減することができる。
【００２９】
図２は、ＭＦＰ２０のブロック図である。
【００３０】
図２に示すように、ＭＦＰ２０は、種々の操作が入力される例えばボタンなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ、インターネットなどのネットワーク経由で、または、ネットワークを介さずに有線または無線によって直接に、外部の装置と通信を行う通信デバイスである通信部２６と、オプション機器３０などのオプション機器が有線または無線によって接続可能なオプション機器接続部２７と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２８と、ＭＦＰ２０全体を制御する制御部２９とを備えている。
【００３１】
操作部２１は、一部が表示部２２とともにタッチパネルを構成している。また、操作部２１は、一部がハードウェアキーを構成している。
【００３２】
オプション機器接続部２７に接続可能なオプション機器の種類、すなわち、ＭＦＰ２０が対応しているオプション機器の種類としては、例えば、テンキー、キーボードなどの種類が存在する。オプション機器接続部２７に接続可能なオプション機器の各種類には、例えばタイプＡ、タイプＢ、タイプＣなど、ＭＦＰ２０が対応している複数のタイプが存在する。オプション機器接続部２７は、オプション機器接続部２７へのオプション機器の接続状態を検出可能である。オプション機器接続部２７によって検出可能な接続状態は、オプション機器接続部２７にオプション機器が接続されているか否かを含んでいる。また、オプション機器接続部２７によって検出可能な接続状態は、オプション機器接続部２７にオプション機器が接続されている場合には、オプション機器接続部２７に接続されているオプション機器の種類およびタイプを含んでいる。
【００３３】
記憶部２８は、ＭＦＰ２０の遠隔操作のための遠隔操作用プログラム２８ａを記憶している。遠隔操作用プログラム２８ａは、例えば、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリーなどの外部の記憶媒体からＭＦＰ２０に追加でインストールされても良いし、ネットワーク上からＭＦＰ２０に追加でインストールされても良い。
【００３４】
記憶部２８は、オプション機器接続部２７へのオプション機器の接続状態を示すオプション機器接続状態情報２８ｂを記憶可能である。
【００３５】
図３は、オプション機器接続状態情報２８ｂの一例を示す図である。
【００３６】
図３に示すオプション機器接続状態情報２８ｂは、オプション機器の種類と、オプション機器接続部２７へのオプション機器の接続状態との組み合わせを、オプション機器の種類毎に示している。オプション機器接続状態情報２８ｂは、オプション機器接続部２７にオプション機器が接続されている場合にはオプション機器接続部２７に接続されているオプション機器のタイプが接続状態として示され、オプション機器接続部２７にオプション機器が接続されていない場合には「非接続」が接続状態として示される。
【００３７】
図２に示すように、記憶部２８は、ＭＦＰ２０の遠隔操作のための機器操作用画面における、オプション機器を操作するためのオプション機器操作用画面の表示設定を示すオプション機器操作用画面表示設定情報２８ｃを記憶可能である。
【００３８】
図４は、オプション機器操作用画面表示設定情報２８ｃの一例を示す図である。
【００３９】
図４に示すオプション機器操作用画面表示設定情報２８ｃは、オプション機器の種類と、機器操作用画面におけるオプション機器操作用画面の表示設定との組み合わせを、オプション機器の種類毎に示している。オプション機器操作用画面表示設定情報２８ｃは、固定のオプション機器操作用画面を機器操作用画面に表示する場合にはオプション機器操作用画面に示されるオプション機器のタイプが表示設定として示され、ＭＦＰ２０に実際に接続されているオプション機器用のオプション機器操作用画面を機器操作用画面に表示する場合には「本体オプションに合わせる」が表示設定として示され、機器操作用画面にオプション機器操作用画面を表示しない場合には「表示しない」が表示設定として示される。
【００４０】
図２に示すように、記憶部２８は、操作部２１の一部が構成しているハードウェアキーを操作するための標準ハードウェアキー操作用画面を生成するためのデータとしての標準ハードウェアキー操作用画面データ２８ｄと、オプション機器操作用画面を生成するためのデータとしてのオプション機器操作用画面データ２８ｅとを記憶している。なお、記憶部２８は、オプション機器接続部２７に接続可能なオプション機器の種類およびタイプの組み合わせ毎にオプション機器操作用画面データを記憶している。
【００４１】
制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるメモリーとしてのＲＡＭ（Ｒａｎｄｏｍ  Ａｃｃｅｓｓ  Ｍｅｍｏｒｙ）とを備えている。ＣＰＵは、記憶部２８またはＲＯＭに記憶されているプログラムを実行する。
【００４２】
制御部２９は、遠隔操作用プログラム２８ａを実行することによって、オプション機器接続部２７へのオプション機器の接続状態を管理する接続状態管理手段２９ａと、機器操作用画面におけるオプション機器操作用画面が複数のパターンの中から指定されるパターン指定手段２９ｂと、機器操作用画面をコンピューター４０に送信する画面送信手段２９ｃと、機器操作用画面に対する操作内容に応じてＭＦＰ２０を動作させる機器動作手段２９ｄとを実現する。
【００４３】
図５は、コンピューター４０のブロック図である。
【００４４】
図５に示すように、コンピューター４０は、種々の操作が入力される例えばキーボード、マウスなどの入力デバイスである操作部４１と、種々の情報を表示する例えばＬＣＤなどの表示デバイスである表示部４２と、ネットワーク経由で、または、ネットワークを介さずに有線または無線によって直接に、外部の装置と通信を行う通信デバイスである通信部４３と、各種の情報を記憶する例えば半導体メモリー、ＨＤＤなどの不揮発性の記憶デバイスである記憶部４４と、コンピューター４０全体を制御する制御部４５とを備えている。コンピューター４０は、例えば、ＰＣ（Ｐｅｒｓｏｎａｌ  Ｃｏｍｐｕｔｅｒ）、タブレットなどによって構成されても良い。
【００４５】
記憶部４４は、機器操作用画面を表示部４２に表示するためのブラウザー用プログラム４４ａを記憶している。ブラウザー用プログラム４４ａは、例えば、コンピューター４０の製造段階でコンピューター４０にインストールされていても良いし、ＵＳＢメモリー、ＣＤ（Ｃｏｍｐａｃｔ  Ｄｉｓｋ)、ＤＶＤ（Ｄｉｇｉｔａｌ  Ｖｅｒｓａｔｉｌｅ  Ｄｉｓｋ）などの外部の記憶媒体からコンピューター４０に追加でインストールされても良いし、ネットワーク上からコンピューター４０に追加でインストールされても良い。
【００４６】
制御部４５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４４に記憶されているプログラムを実行する。
【００４７】
制御部４５は、ブラウザー用プログラム４４ａを実行することによって、ブラウザー４５ａを実現する。
【００４８】
図６は、ブラウザー４５ａによって表示される機器操作用画面５０の一例を示す図である。
【００４９】
図６に示す機器操作用画面５０は、ＭＦＰ２０（図２参照。）の操作部２１（図２参照。）の一部がＭＦＰ２０の表示部２２（図２参照。）とともに構成しているタッチパネルを操作するための標準タッチパネル操作用画面５１と、ＭＦＰ２０の操作部２１の一部が構成しているハードウェアキーを操作するための標準ハードウェアキー操作用画面５２と、ＭＦＰ２０にオプション機器として接続されているテンキーを操作するためのオプション機器操作用画面５３とを含んでいる。
【００５０】
次に、遠隔操作システム１０の動作について説明する。
【００５１】
まず、オプション機器接続状態情報２８ｂを更新する場合のＭＦＰ２０の動作について説明する。
【００５２】
図７は、オプション機器接続状態情報２８ｂを更新する場合のＭＦＰ２０の動作のフローチャートである。
【００５３】
ＭＦＰ２０の接続状態管理手段２９ａは、オプション機器接続部２７へのオプション機器の接続状態の変更がオプション機器接続部２７によって検出される度に、図７に示す動作を実行する。
【００５４】
図７に示すように、接続状態管理手段２９ａは、オプション機器接続部２７によって変更が検出された、変更後の接続状態を、今回の処理の対象にする（Ｓ１０１）。
【００５５】
次いで、接続状態管理手段２９ａは、Ｓ１０１において対象にした接続状態の対象のオプション機器の種類を特定する（Ｓ１０２）。
【００５６】
次いで、接続状態管理手段２９ａは、Ｓ１０２において特定したオプション機器の種類と、Ｓ１０１において対象にした接続状態との組み合わせを、オプション機器接続状態情報２８ｂに書き込んで（Ｓ１０３）、図７に示す動作を終了する。
【００５７】
次に、オプション機器操作用画面表示設定情報２８ｃを更新する場合のＭＦＰ２０の動作について説明する。
【００５８】
図８は、オプション機器操作用画面表示設定情報２８ｃを更新する場合のＭＦＰ２０の動作のフローチャートである。
【００５９】
ＭＦＰ２０は、機器操作用画面におけるオプション機器操作用画面の表示設定の変更が操作部２１から指示されることができる。また、ＭＦＰ２０は、機器操作用画面におけるオプション機器操作用画面の表示設定の変更が、例えばコンピューター４０の操作部４１など、ＭＦＰ２０以外の装置の操作部から、通信部２６を介して指示されることができる。ＭＦＰ２０のパターン指定手段２９ｂは、機器操作用画面におけるオプション機器操作用画面の表示設定の変更が操作部２１または通信部２６を介して指示される度に、図８に示す動作を実行する。
【００６０】
図８に示すように、パターン指定手段２９ｂは、操作部２１または通信部２６を介して変更が指示された、変更後の表示設定を、今回の処理の対象にする（Ｓ１２１）。
【００６１】
次いで、パターン指定手段２９ｂは、Ｓ１２１において対象にした表示設定の対象のオプション機器の種類を特定する（Ｓ１２２）。
【００６２】
次いで、パターン指定手段２９ｂは、Ｓ１２２において特定したオプション機器の種類と、Ｓ１２１において対象にした表示設定との組み合わせを、オプション機器操作用画面表示設定情報２８ｃに書き込んで（Ｓ１２３）、図８に示す動作を終了する。
【００６３】
次に、ＭＦＰ２０の遠隔操作の開始がコンピューター４０の操作部４１から指示された場合の遠隔操作システム１０の動作について説明する。
【００６４】
コンピューター４０の利用者は、ＭＦＰ２０の遠隔操作の開始をコンピューター４０の操作部４１から指示することができる。
【００６５】
図９は、ＭＦＰ２０の遠隔操作の開始がコンピューター４０の操作部４１から指示された場合の遠隔操作システム１０の動作のシーケンス図である。
【００６６】
図９に示すように、コンピューター４０のブラウザー４５ａは、ＭＦＰ２０の遠隔操作の開始をＭＦＰ２０に要求する（Ｓ１４１）。
【００６７】
ＭＦＰ２０の画面送信手段２９ｃは、ＭＦＰ２０の遠隔操作の開始が要求されると、ＭＦＰ２０の状態が遠隔操作が開始可能な状態であるか否かを判断する（Ｓ１４２）。
【００６８】
画面送信手段２９ｃは、ＭＦＰ２０の状態が遠隔操作が開始可能な状態ではないとＳ１４２において判断すると、ＭＦＰ２０の状態が遠隔操作が開始可能な状態ではない旨をコンピューター４０に通知する（Ｓ１４３）。
【００６９】
したがって、コンピューター４０のブラウザー４５ａは、ＭＦＰ２０の状態が遠隔操作が開始可能な状態ではない旨を表示部４２に表示して（Ｓ１４４）、図９に示す動作を終了する。
【００７０】
画面送信手段２９ｃは、ＭＦＰ２０の状態が遠隔操作が開始可能な状態であるとＳ１４２において判断すると、オプション機器操作用画面を生成するためのオプション機器操作用画面生成処理を実行する（Ｓ１４５）。
【００７１】
図１０は、図９に示すオプション機器操作用画面生成処理のフローチャートである。
【００７２】
図１０に示すように、画面送信手段２９ｃは、オプション機器接続部２７に接続しているオプション機器が存在するか否かをオプション機器接続状態情報２８ｂに基づいて判断する（Ｓ１７１）。
【００７３】
画面送信手段２９ｃは、オプション機器接続部２７に接続しているオプション機器が存在しないとＳ１７１において判断すると、図１０に示すオプション機器操作用画面生成処理を終了する。すなわち、画面送信手段２９ｃは、オプション機器操作用画面を１つも生成せずに、図１０に示すオプション機器操作用画面生成処理を終了する。
【００７４】
画面送信手段２９ｃは、オプション機器接続部２７に接続しているオプション機器が存在するとＳ１７１において判断すると、オプション機器接続部２７に接続しているオプション機器の種類をオプション機器接続状態情報２８ｂに基づいて特定する（Ｓ１７２）。
【００７５】
次いで、画面送信手段２９ｃは、Ｓ１７２において特定したオプション機器の種類のうち、今回のオプション機器操作用画面生成処理において未だ対象にしていないいずれか１つのみを対象にする（Ｓ１７３）。
【００７６】
次いで、画面送信手段２９ｃは、現在の対象のオプション機器の種類にオプション機器操作用画面表示設定情報２８ｃにおいて組み合わされている表示設定を判断する（Ｓ１７４）。
【００７７】
画面送信手段２９ｃは、現在の対象のオプション機器の種類にオプション機器操作用画面表示設定情報２８ｃにおいて組み合わされている表示設定がオプション機器のタイプであるとＳ１７４において判断すると、Ｓ１７４において判断したオプション機器のタイプに応じたオプション機器操作用画面を、現在の対象のオプション機器の種類と、Ｓ１７４において判断したオプション機器のタイプとの組み合わせに応じたオプション機器操作用画面データに基づいて、現在の対象のオプション機器の種類に対して生成する（Ｓ１７５）。
【００７８】
画面送信手段２９ｃは、現在の対象のオプション機器の種類にオプション機器操作用画面表示設定情報２８ｃにおいて組み合わされている表示設定が「本体オプションに合わせる」であるとＳ１７４において判断すると、現在の対象のオプション機器の種類にオプション機器接続状態情報２８ｂにおいて組み合わされているオプション機器のタイプに応じたオプション機器操作用画面を、現在の対象のオプション機器の種類と、現在の対象のオプション機器の種類にオプション機器接続状態情報２８ｂにおいて組み合わされているオプション機器のタイプとの組み合わせに応じたオプション機器操作用画面データに基づいて、現在の対象のオプション機器の種類に対して生成する（Ｓ１７６）。
【００７９】
なお、画面送信手段２９ｃは、現在の対象のオプション機器の種類にオプション機器操作用画面表示設定情報２８ｃにおいて組み合わされている表示設定が「表示しない」であるとＳ１７４において判断すると、現在の対象のオプション機器の種類に対してオプション機器操作用画面を生成しない。
【００８０】
画面送信手段２９ｃは、現在の対象のオプション機器の種類にオプション機器操作用画面表示設定情報２８ｃにおいて組み合わされている表示設定が「表示しない」であるとＳ１７４において判断するか、Ｓ１７５またはＳ１７６の処理が終了すると、Ｓ１７２において特定したオプション機器の種類のうち、今回のオプション機器操作用画面生成処理において未だ対象にしていないものが存在するか否かを判断する（Ｓ１７７）。
【００８１】
画面送信手段２９ｃは、Ｓ１７２において特定したオプション機器の種類のうち、今回のオプション機器操作用画面生成処理において未だ対象にしていないものが存在するとＳ１７７において判断すると、Ｓ１７３の処理を実行する。
【００８２】
画面送信手段２９ｃは、Ｓ１７２において特定したオプション機器の種類のうち、今回のオプション機器操作用画面生成処理において未だ対象にしていないものが存在しないとＳ１７７において判断すると、図１０に示すオプション機器操作用画面生成処理を終了する。
【００８３】
図９に示すように、画面送信手段２９ｃは、Ｓ１４５の処理を実行する場合、表示部２２に表示されている標準タッチパネル操作用画面を取得する（Ｓ１４６）。
【００８４】
画面送信手段２９ｃは、Ｓ１４５の処理と、Ｓ１４６の処理とを実行する場合、標準ハードウェアキー操作用画面を標準ハードウェアキー操作用画面データ２８ｄに基づいて生成する（Ｓ１４７）。ここで、画面送信手段２９ｃは、操作部２１の一部が構成しているハードウェアキーに例えばＬＥＤ（Ｌｉｇｈｔ  Ｅｍｉｔｔｉｎｇ  Ｄｉｏｄｅ）などの表示部が存在する場合には、操作部２１の一部が構成しているハードウェアキーに存在する表示部の表示状態を標準ハードウェアキー操作用画面において再現する。
【００８５】
画面送信手段２９ｃは、Ｓ１４５〜Ｓ１４７の処理が終了すると、Ｓ１４５〜Ｓ１４７において生成した画面を合成して機器操作用画面を生成し（Ｓ１４８）、Ｓ１４８において生成した機器操作用画面をコンピューター４０に送信する（Ｓ１４９）。
【００８６】
したがって、コンピューター４０のブラウザー４５ａは、Ｓ１４９において送信されてきた機器操作用画面を表示部４２に表示して（Ｓ１５０）、図９に示す動作を終了する。
【００８７】
次に、コンピューター４０の表示部４２に表示されている機器操作用画面が更新される場合の遠隔操作システム１０の動作について説明する。
【００８８】
図１１は、コンピューター４０の表示部４２に表示されている機器操作用画面が更新される場合の遠隔操作システム１０の動作のシーケンス図である。
【００８９】
コンピューター４０のブラウザー４５ａは、表示部４２に機器操作用画面を表示している場合、特定の時間毎など、特定のタイミングで、図１１に示すように、機器操作用画面の更新をＭＦＰ２０に要求する（Ｓ１９１）。
【００９０】
Ｓ１９２〜Ｓ１９７の処理は、Ｓ１４５〜Ｓ１５０の処理と同様であるので、説明を省略する。
【００９１】
なお、図１１に示す動作において、ＭＦＰ２０の画面送信手段２９ｃは、機器操作用画面をコンピューター４０に送信するが、機器操作用画面の変化分のみをコンピューター４０に送信しても良い。
【００９２】
次に、コンピューター４０の表示部４２に表示されている機器操作用画面が操作される場合の遠隔操作システム１０の動作について説明する。
【００９３】
図１２は、コンピューター４０の表示部４２に表示されている機器操作用画面が操作される場合の遠隔操作システム１０の動作のシーケンス図である。
【００９４】
図１２に示すように、コンピューター４０のブラウザー４５ａは、表示部４２に表示している機器操作用画面が操作部４１を介して操作されると、図１２に示すように、機器操作用画面に対する操作内容をＭＦＰ２０に通知する（Ｓ２１１）。
【００９５】
したがって、ＭＦＰ２０の機器動作手段２９ｄは、Ｓ２１１において通知された操作内容に応じてＭＦＰ２０を動作させて（Ｓ２１２）、図１２に示す動作を終了する。
【００９６】
以上に説明したように、ＭＦＰ２０は、複数種類のオプション機器操作用画面のためのオプション機器操作用画面データが用意されれば良く、遠隔地の任意のコンピューターの操作部の入力形式に対応するオプション機器操作用画面を遠隔地のコンピューター側で生成可能なデータが用意される必要がないので、製造を容易化することができる。
【００９７】
ＭＦＰ２０は、実際に接続されているオプション機器に関係なく、固定のオプション機器操作用画面を遠隔地のコンピューター４０に送信する（Ｓ１４９およびＳ１７５）ことができるので、コンピューター４０の利用者が扱い易いオプション機器操作用画面をコンピューター４０に表示させる（Ｓ１５０）ことができる。
【００９８】
ＭＦＰ２０は、実際に接続されているオプション機器用のオプション機器操作用画面を遠隔地のコンピューター４０に送信する（Ｓ１４９およびＳ１７６）ことができるので、コンピューター４０の利用者がＭＦＰ２０の利用者にオプション機器の操作に関して説明する場合に、コンピューター４０の利用者と、ＭＦＰ２０の利用者との間にオプション機器に関する認識の違いが発生することを抑えることができる。
【００９９】
なお、ＭＦＰ２０は、オプション機器操作用画面表示設定情報２８ｃにおける表示設定がオプション機器のタイプであるオプション機器の種類に対して、オプション機器接続状態情報２８ｂにおけるオプション機器の接続状態が「非接続」の場合であっても、オプション機器操作用画面表示設定情報２８ｃにおけるオプション機器のタイプに応じたオプション機器操作用画面を生成しても良い。例えば、図１０に示すオプション機器操作用画面生成処理において、画面送信手段２９ｃは、オプション機器接続部２７に接続しているオプション機器が存在しないとＳ１７１で判断した場合、オプション機器操作用画面表示設定情報２８ｃにおける表示設定がオプション機器のタイプであるオプション機器の種類に対して、オプション機器操作用画面表示設定情報２８ｃにおけるオプション機器のタイプに応じたオプション機器操作用画面を生成し、オプション機器操作用画面表示設定情報２８ｃにおける表示設定がオプション機器のタイプ以外のオプション機器の種類に対して、オプション機器操作用画面を生成せず、オプション機器操作用画面生成処理を終了しても良い。同様に、図１０に示すオプション機器操作用画面生成処理において、画面送信手段２９ｃは、オプション機器接続部２７に接続しているオプション機器が存在するとＳ１７１で判断した場合であっても、オプション機器接続部２７に接続していないオプション機器の種類が存在するときには、オプション機器接続部２７に接続していないオプション機器の種類のうち、オプション機器操作用画面表示設定情報２８ｃにおける表示設定がオプション機器のタイプであるオプション機器の種類に対して、オプション機器操作用画面表示設定情報２８ｃにおけるオプション機器のタイプに応じたオプション機器操作用画面を生成し、オプション機器接続部２７に接続していないオプション機器の種類のうち、オプション機器操作用画面表示設定情報２８ｃにおける表示設定がオプション機器のタイプ以外のオプション機器の種類に対して、オプション機器操作用画面を生成せず、オプション機器操作用画面生成処理を終了しても良い。ＭＦＰ２０は、オプション機器操作用画面表示設定情報２８ｃにおける表示設定がオプション機器のタイプであるオプション機器の種類に対して、オプション機器接続状態情報２８ｂにおけるオプション機器の接続状態が「非接続」の場合であっても、オプション機器操作用画面表示設定情報２８ｃにおけるオプション機器のタイプに応じたオプション機器操作用画面を生成する場合、実際にはオプション機器が接続されていないときであっても、固定のオプション機器操作用画面を遠隔地のコンピューター４０に表示させるので、コンピューター４０の利用者によるＭＦＰ２０に対する操作性を向上することができる。
【０１００】
また、図１１に示すＳ１９１に関して、ＭＦＰ２０の表示部２２に表示されている標準タッチパネル操作用画面が更新されたときに、ＭＦＰ２０は、コンピューター４０に標準タッチパネル操作用画面が更新されたことを通知してもよい。この場合、コンピューター４０のブラウザー４５ａは、ＭＦＰ２０からの通知に応じて、機器操作用画面の更新をＭＦＰ２０に要求してもよい。
【０１０１】
本発明の電子機器は、本実施の形態においてＭＦＰであるが、プリンター専用機、コピー専用機、ファックス専用機、スキャナー専用機など、ＭＦＰ以外の画像形成装置でも良いし、ＰＣなど、画像形成装置以外の電子機器でも良い。
【符号の説明】
【０１０２】
１０  遠隔操作システム
２０  ＭＦＰ（電子機器）
２８ａ  遠隔操作用プログラム
２９ｂ  パターン指定手段
２９ｃ  画面送信手段
３０  オプション機器
４０  コンピューター
５３  オプション機器操作用画面
【図１】
2019130716.tif 000003
【図２】
2019130716.tif 000004
【図３】
2019130716.tif 000005
【図４】
2019130716.tif 000006
【図５】
2019130716.tif 000007
【図６】
2019130716.tif 000008
【図７】
2019130716.tif 000009
【図８】
2019130716.tif 000010
【図９】
2019130716.tif 000011
【図１０】
2019130716.tif 000012
【図１１】
2019130716.tif 000013
【図１２】
2019130716.tif 000014